(57)【特許請求の範囲】
【請求項１】
１枚の段ボール紙からなり、
対向する天面板及び底面板並びに対向する一対の前面板及び後面板を有する四角筒状部を備え、
この四角筒状部が、梱包状態から陳列状態に開封可能な開封用破断誘導線を有する陳列兼用段ボール箱シートであって、
上記開封用破断誘導線が、
前面板に設けられ、底側に始点を有するとともに天面板との連設部位に終点を有する一対の第一破断誘導線と、
天面板に設けられ、上記一対の第一破断誘導線の終点と同一箇所に始点及び終点を有する第二破断誘導線とを備え、
上記破断誘導線によって区画される開封片が、商品収容用凹部を形成するための凹部形成用破断誘導線を有する
ことを特徴とする陳列兼用段ボール箱シート。
【請求項２】
上記開封片が、上記凹部形成用破断誘導線よりも前面板の下縁側に、この前面板の下縁と略平行な折り曲げ容易線を備えている請求項１に記載の陳列兼用段ボール箱シート。
【請求項３】
上記第二破断誘導線が、後面板まで延出する中間部を有する請求項１又は請求項２に記載の陳列兼用段ボール箱シート。
【請求項４】
上記開封片が、上記開封用破断誘導線に沿って切断された際に自由端側に突設する舌片部を有し、
上記底面板が、舌片部を係合可能な被係合部を形成するための被係合部形成用破断誘導線を備えている請求項１、請求項２又は請求項３に記載の陳列兼用段ボール箱シート。
【請求項５】
上記一対の第一破断誘導線が、前面板の側端縁と間隔をもってそれぞれ形成されている請求項１から請求項４のいずれか１項に記載の陳列兼用段ボール箱シート。
【請求項６】
上記一対の第一破断誘導線が、前面板の側端縁に沿ってそれぞれ形成されている請求項１から請求項４のいずれか１項に記載の陳列兼用段ボール箱シート。
【請求項７】
請求項１から請求項６のいずれか１項に記載の陳列兼用段ボール箱シートを箱型に組立ててなる陳列兼用段ボール箱。
【発明の詳細な説明】
【技術分野】
【０００１】
本発明は、陳列兼用段ボール箱シート及び陳列兼用段ボール箱に関する。
【背景技術】
【０００２】
商品輸送用の段ボール箱は、商品の輸送から陳列までの間、複数の商品をまとめて収容する容器として用いられる。このような商品輸送用の段ボール箱は輸送後に開封され、梱包されていた商品が段ボール箱から取り出される。取り出された商品は陳列用の棚やケースに陳列され、販売に供される。この段ボール箱からの商品の取り出し及び棚やケースへの陳列からなる商品陳列作業を簡便にするために、商品を梱包した段ボール箱をそのまま陳列用のケースとして用いることができる陳列兼用段ボール箱が発案されている（特開平１０−５１１５０号公報参照）。この陳列兼用段ボール箱は、四角筒状部に設けた開封用破断誘導線に沿って破断することで、梱包状態から陳列状態に開封できるものである。
【０００３】
しかし、上述のような陳列兼用段ボール箱にあっては、陳列状態においても複数の商品は梱包状態の配置と特段変化せず、購入者である視認者に対して梱包状態のままの商品が開封されているに過ぎないような印象を与えるに過ぎない。
【０００４】
さらに、上述のように陳列状態の複数の商品は梱包状態の配置と同じであるので、一つの商品のみを取り出す際に他の商品が邪魔となり、購入者が商品を取ることが困難である。つまり、例えば陳列し始めた際には複数の商品が梱包状態と同様に陳列箱（開封された段ボール箱）に詰まった状態で収容されており、このように複数の商品が詰まった状態の中から一つの商品のみを引き出すことは困難である。
【先行技術文献】
【特許文献】
【０００５】
【特許文献１】特開平１０−５１１５０号公報
【発明の概要】
【発明が解決しようとする課題】
【０００６】
本発明はこのような不都合に鑑みてなされたものであり、陳列した際に視認者が商品を視認しやすく、また陳列されている商品を取りやすい陳列兼用段ボール箱シート及び陳列兼用段ボール箱を提供することを課題とする。
【課題を解決するための手段】
【０００７】
上記課題を解決するためになされた発明は、
１枚の段ボール紙からなり、
対向する天面板及び底面板並びに対向する一対の前面板及び後面板を有する四角筒状部を備え、
この四角筒状部が、梱包状態から陳列状態に開封可能な開封用破断誘導線を有する陳列兼用段ボール箱シートであって、
上記開封用破断誘導線が、
前面板に設けられ、底側に始点を有するとともに天面板との連設部位に終点を有する一対の第一破断誘導線と、
天面板に設けられ、上記一対の第一破断誘導線の終点と同一箇所に始点及び終点を有する第二破断誘導線とを備え、
上記破断誘導線によって区画される開封片が、商品収容用凹部を形成するための凹部形成用破断誘導線を有する
ことを特徴とする陳列兼用段ボール箱シートである。
【０００８】
当該陳列兼用段ボール箱シートは箱型に組立てられることで内部に商品を梱包することができ、またこのように商品が梱包された状態から開封用破断誘導線に沿って破断することで開封することができる。この開封状態において、開封片の凹部形成用破断誘導線に沿って破断することで商品収容用凹部を形成し、この商品収容用凹部に商品を収容した状態で陳列することができる。特に、この開封片を前方側に倒し、この開封片の自由端側を後方側に折り返しておくことで、商品収容用凹部の商品を他の商品よりも飛び出したような状態で陳列することができる。このため、従来の陳列兼用段ボール箱を用いて商品を展示するものと異なり、商品を前後方向に立体的に陳列することができ、視認者が商品を視認しやすい。しかも、上述のように前方に位置する商品収容用凹部に商品を展示することができるので、購入者等がこの商品収容用凹部に収容された商品を把持することで、商品を容易かつ確実に取ることかできる。
【０００９】
上記開封片が、凹部形成用破断誘導線よりも前面板の下縁側に、この前面板の下縁と略平行な折り曲げ容易線を備えるとよい。これにより、この折り曲げ容易線に沿って開封片を折り曲げることで、上述のように開封片の自由端側を後方側に折り返すことが容易かつ確実に行い得る。
【００１０】
上記第二破断誘導線が、後面板まで延出する中間部を有するとよい。これにより、開封に際して、第二破断誘導線の中間部において四角筒状部を破断し、この破断した部分から開封用破断誘導線に沿って前方側に向けて破断することで梱包状態から開封状態にすることができる。このようにして得られる天面の開封部分は前後方向に広く、このため開封片以外の四角筒状部に収容される商品も天面の開放部分から容易に取り出すことができる。
【００１１】
上記開封片が、上記開封用破断誘導線に沿って切断された際に自由端側に突設する舌片部を有するとよい。これにより、この舌片部において四角筒状部を破断し、この破断した部分から開封用破断誘導線に沿って破断することで、容易かつ確実に開封状態を得ることができる。さらに、上記底面板が、舌片部を係合可能な被係合部を形成するための被係合部形成用破断誘導線を備えているとよい。これにより、被係合部形成用破断誘導線に沿って破断することで被係合部を形成しておき、陳列に際して上述のように開封片の自由端側を後方側に折り返した際に開封片の舌片部を被係合部に係合させることができ、陳列状態における開封片が的確な位置に的確かつ確実に位置することができる。
【００１２】
一対の第一破断誘導線を、前面板の側端縁と間隔をもってそれぞれ形成することができ、これにより開封状態において前面板の両側が開封片以外の四角筒状部側に残存することになる。このため、開封状態において当該陳列兼用段ボール箱の上に他の部材（例えば別の当該陳列兼用段ボール箱）を積載しても、上述のように開封片以外の四角筒状部側に残存する前面板の両側部分によって十分な強度が得られる。
【００１３】
一対の第一破断誘導線を、前面板の側端縁に沿ってそれぞれ形成することができ、これにより前面の開封部分が広く、このため開封片以外の四角筒状部に収容される商品も前面の開放部分から容易に取り出すことができる。
【００１４】
また、上記課題を解決するためになされた発明は、上記構成からなる当該陳列兼用段ボール箱シートが箱型に組み立てられて構成される陳列兼用段ボール箱である。当該陳列兼用段ボール箱は、上述のように開封用破断誘導線に沿って破断することで開封した後に、開封片の商品収容用凹部に商品を収容することができる。
【発明の効果】
【００１５】
以上説明したように、本発明の陳列兼用段ボール箱シート及び陳列兼用段ボール箱は、陳列した際に視認者が商品を視認しやすく、また陳列されている商品を取り出しやすい。
【図面の簡単な説明】
【００１６】
【図１】本発明の第一実施形態に係る陳列兼用段ボール箱シートを示す模式的平面図である（陳列兼用段ボール箱の展開図である）。
【図２】図１の陳列兼用段ボール箱シートを組立てた状態（陳列兼用段ボール箱）を示す模式的斜視図である。
【図３】図２の陳列兼用段ボール箱の開封状態を示す模式的斜視図である。
【図４】本発明の第二実施形態に係る陳列兼用段ボール箱シートを示す模式的平面図である（陳列兼用段ボール箱の展開図である）。
【図５】図４の陳列兼用段ボール箱シートを組立てた後に開封した状態を示す模式的斜視図である。
【図６】本発明の第三実施形態に係る陳列兼用段ボール箱シートを示す模式的平面図である（陳列兼用段ボール箱の展開図である）。
【発明を実施するための形態】
【００１７】
［第一実施形態］
以下、適宜図面を参照しつつ、本発明の実施形態を詳説するが、まず図１乃至図３を用いて本発明の第一実施形態について説明する。
【００１８】
図２の陳列兼用段ボール箱１（以下、単に「段ボール箱」ということがある）は、図１の１枚の陳列兼用段ボール箱シート４（以下、「段ボール箱用シート」ということがある）が箱型に組み立てられて構成される。
【００１９】
この段ボール箱用シート４は、対向する天面板７及び底面板９並びに対向する一対の前面板１０及び後面板８を有する四角筒状部５と、上記天面板７及び底面板９の各側縁から延出する二対の外フラップ１１と、上記前面板１０及び後面板８の各側縁から延出する二対の内フラップ１２とを備えている。上記四角筒状部５は、さらに糊代板６を有している。具体的には、四角筒状部５は、糊代板６、天面板７、後面板８、底面板９及び前面板１０がこの順で直線状に連接されて構成されている。なお、四角筒状部５を構成する各板間、及びこの板とフラップとの間には折り曲げを容易にする折り曲げ容易線５ａが形成されている。
【００２０】
この段ボール箱用シート４は、封緘状態（箱型に組立てられた段ボール箱１の状態）で直方体形状に形成され、均一な厚さの一枚の段ボールシートを用いて形成される。当該段ボール箱１のサイズとしては特に限定されず、内容物である商品の大きさ等を考慮して適宜設定される。
【００２１】
天面板７及び底面板９は、同型及び同サイズの矩形形状を有している。前面板１０及び後面板８も同型及び同サイズの矩形形状を有している。また、天面板７、底面板９、前面板１０及び後面板８は一方向の長さ（幅）が等しく、これらの面板によって直方体形状を有する四角筒状部５が形成される。なお、天面板７及び底面板９の長さ（箱状態における奥行方向の長さ）と、前面板１０及び底面板９の長さ（箱状態における上下方向の長さ）とが、略同じに設けられており、このため当該段ボール箱１の側壁面は略正方形状に設けられる。
【００２２】
上記天面板７には、後端縁に後面板８が連接され、前端縁に糊代板６が連接されている。また、上記底面板９には、後端縁に後面板８が連接され、前端縁に前面板１０が連接されている。当該段ボール箱用シート４は、底面板９のみに接続されている前面板１０と天面板７とが接続されるように、糊代板６を前面板１０に接合（接着）させることで、四角筒状部５を筒状に固定することができる。なお、図示例では糊代板６を前面板１０の前面（外面）に接合している。
【００２３】
上記糊代板６は、略矩形形状を有している。この糊代板６の幅（上記一方向の長さ）が上記天面板７等の幅と略等しく設けられている。また、糊代板６の長さ（上記一方向に直交する方向の長さ）は、上記前面板１０及び後面板８の長さよりも小さく、例えば０．２倍以上０．４倍以下に設けられる。
【００２４】
当該段ボール箱用シート４は、四角筒状部５を形成した後、二対の内フラップ１２を四角筒状部５の内側に向かって略直角に折り込み、二対の外フラップ１１を内フラップ１２に重なるようにそれぞれ四角筒状部５の内側に向かって略直角に折り込むことで、二つの対面する壁面を形成することができる。この際、外フラップ１１の内面を内フラップ１２の外面に接着剤等で接着することによって、側壁面が固定され、当該段ボール箱１の梱包状態が完成する。
【００２５】
上記各フラップは同型及び同サイズの矩形形状を有している。外フラップ１１の上下方向の長さ（四角筒状部５から延設した幅）は、内フラップ１２の上下方向の長さ（四角筒状部５の周方向（図１の紙面上の上下方向）の長さ）の略半分であり、箱状態において外フラップ１１の端縁同士が略隙間が生じないよう突き合わされる。なお、内フラップ１２の奥行方向の長さ（四角筒状部５から延設した幅）は、外フラップ１１の奥行方向の長さ（四角筒状部５の周方向の長さ）の略半分であり、箱状態において内フラップ１２の端縁同士が略隙間を生じないよう突き合わされる。
【００２６】
当該段ボール箱用シート４を用いて商品を梱包する手順は、例えば、次のようにすることができる。まず、展開状態で底面板９の上に梱包する商品を載置した後、四角筒状部５の各板を折り曲げて糊代板６を前面板１０に接着することで、商品を囲繞する四角筒状部５を形成する。次に、内フラップ１２及び外フラップ１１を上述したように折り込んで側壁面を形成することによって、当該段ボール箱１による商品の梱包が完成する。
【００２７】
段ボール箱用シート４を構成する段ボールシートとしては、強度の高さ及び加工成形の容易さの観点から、波形に形成された中芯、この中芯の表面側に積層される表ライナ及び裏面側に積層される裏ライナを備える両面段ボールが用いられている。なお、四角筒状部５の周方向と、この段ボールシートの波目方向（中芯の稜線に沿う方向）とは平行に配設される。
【００２８】
四角筒状部５は、梱包状態から陳列状態に開封可能な開封用破断誘導線２０を有している。この開封用破断誘導線２０は、前面板１０に設けられる一対の第一破断誘導線２１、及び天面板７に設けられる一つの第二破断誘導線２５を備えている。なお、上記第一破断誘導線２１は、前面板１０に接合される糊代板６にも同一箇所（箱状態における重ね合される箇所）に形成されている。また、上記第二破断誘導線２５は、天面板７のみならず後面板８にも形成されており、つまり第二破断誘導線２５は後面板８まで延出する中間部２８を有している。このため、当該段ボール箱１は、上記開封用破断誘導線２０に沿って破断された際に、この破断によって開封される開封片２（破断前において破断誘導線によって区画される領域）は、前面板１０、天面板７及び後面板８の一部を有する。
【００２９】
上記第一破断誘導線２１は、前面板１０の底側に始点を有するとともに天面板７との連設部位に終点を有している。この第一破断誘導線２１の始点は、前面板１０の底面板９との連接部位とされている。つまり、第一破断誘導線２１は、前面板１０の下端縁から上端縁まで形成されている。
【００３０】
上記一対の第一破断誘導線２１は、左右対称形状に形成されている。また、第一破断誘導線２１は、前面板１０の側端縁と間隔をもって、上下方向に形成されている。ここで、第一破断誘導線２１は、前面板１０の下方から上方にかけて、近接する側端縁に近づくよう傾斜して設けられている。つまり、一対の第一破断誘導線２１は、上方につれて互いの間隔が広がるよう設けられている。
【００３１】
より具体的に説明すると、第一破断誘導線２１は、始点又は終点から上方に向けて近接する前面板１０の側端縁に近づくように傾斜する傾斜部位２２と、この傾斜部位２２に連続するとともに前面板１０の側端縁に略平行な鉛直部位２３とを有している。ここで、鉛直部位２３は、前面板１０と糊代板６との重ね合されている部分に設けられている。換言すれば、上記傾斜部位２２は前面板１０にのみ形成され、上記鉛直部位２３は前面板１０及び糊代板６の双方に形成されている。
【００３２】
また、前面板１０には、重ね合される糊代板６の端縁（展開状態の自由端）の位置に折り曲げ容易線２４が設けられており、この折り曲げ容易線２４は、上記一対の第一破断誘導線２１間に形成されている。つまり、一対の第一破断誘導線２１の上記傾斜部位２２と鉛直部位２３との連続部位の間に亘って上記折り曲げ容易線２４は形成されている。
【００３３】
なお、前面板１０の上端縁における前面板１０の側端縁と第一破断誘導線２１との間隔は、前面板１０の幅の０．０５倍以上０．２倍以下とすることができる。また、前面板１０の下端縁における前面板１０の側端縁と第一破断誘導線２１との間隔は、前面板１０の幅の０．１倍以上０．３倍以下とすることができる。
【００３４】
上記第二破断誘導線２５は、上記一対の第一破断誘導線２１の終点と同一箇所に始点及び終点を有している。この第二破断誘導線２５は、天面板７において始点及び終点から後面壁に向けてそれぞれ延出する始点部２６及び終点部２７と、この始点部２６及び終点部２７に連続するとともに前述のように後面板８に設けられる中間部２８とを有している。この始点部２６及び終点部２７は、左右対称形状に形成され、上記中間部２８は、後面壁の左右方向略中央に形成されている。
【００３５】
上記始点部２６及び終点部２７は、全体として平面視略逆Ｕ字状の形状を有している。この始点部２６及び終点部２７は、始点及び終点から天面板７の側端縁と略平行に延出する平行部位２６ａ，２７ａ、及びこの平行部位２６ａ，２７ａから連続するとともに後方につれて左右方向中央に向けて傾斜し上記中間部２８に連続する集束部位２６ｂ，２７ｂとを有している。このため、第二破断誘導線２５は、天面板７の側端縁と間隔をもって設けられる。
【００３６】
また、第二破断誘導線２５の中間部２８は、略半円形状の形状を有している。この中間部２８の幅（半円の直径）は、例えば３ｃｍ以上１０ｃｍ以下とすることができる。なお、この中間部２８によって区画される領域（後述する舌片部２ｂ）は、上記始点部２６及び終点部２７の集束部位２６ｂ，２７ｂによって区画される領域から（図１の紙面上の下側に）突出した形状に形成されている。つまり、上記開封片２は、第二破断誘導線２５に沿って切断された際に自由端側に突設する舌片部２ｂを有している。
【００３７】
当該段ボール箱用シート４は、上記開封用破断誘導線２０によって区画される開封片２（前面板１０、天面板７及び後面板８の一部）が、商品収容用凹部２ａを形成するための凹部形成用破断誘導線３０を有している。この凹部形成用破断誘導線３０は、開封片２の基部側（第一破断誘導線２２の始点側）よりも自由端側（舌片部２ｂ側）に形成され、具体的には天面板７に形成されている。また、この凹部形成用破断誘導線３０は、上記一対の第二破断誘導線２５に挟まれる領域に形成される。このため、上記前面板１０の折り曲げ容易線２４は、凹部形成用破断誘導線３０よりも前面板１０の下縁側に、この前面板１０の下縁と略平行に設けられることになる。
【００３８】
この凹部形成用破断誘導線３０は、左右対称形状であって、全体として略Ｉ字状の形状を有している。具体的には、この凹部形成用破断誘導線３０は、前後方向に形成された中央線と、この中央線の前端及び後端から左右方向に延設される一対の左右線とを有している。また、この凹部形成用破断誘導線３０の左右線の左端同士及び右端同士を接続する一対の凹部形成用折り曲げ容易線３１が形成されている。
【００３９】
なお、図１の中で破断誘導線は破線で図示したが（後述する図４及び図６も同様）、各破断誘導線は、破断が容易となる加工が施されているものであれば特に限定されず、例えばミシン目加工及び／又はハーフカット加工等によって形成することができる。また、図１の中で折り曲げ容易線は細線で図示したが（後述する図４及び図６も同様）、各折り曲げ容易線は、折り曲げが容易となる加工が施されているものであれば特に限定されず、例えば罫線加工、ミシン目加工等によって形成することができる。なお、ミシン目加工とは、段ボールシートの表面から裏面に貫通した切断部（ミシン目）を一定の間隔で形成するものであり、ハーフカット加工とは、段ボールシートを構成するライナの一方をカットするものであり、罫線加工とは、段ボールシートに段部を形成する加工である。
【００４０】
上述の構成からなる当該段ボール箱１は、既述のように複数の商品が梱包された後、販売店等に運搬される。そして、当該段ボール箱１は、開封用破断誘導線２０に沿って破断することで開封することができる。また、開封片２の凹部形成用破断誘導線３０に沿って破断することで商品収容用凹部２ａを形成し、梱包されていた一つの商品を上記商品収容用凹部２ａに収容させた状態で陳列することができる。このため、従来の陳列兼用段ボール箱１を用いて商品を陳列するものと異なり、商品を前後方向に立体的に陳列することができ、購入者が商品を視認しやすい。しかも、上述のように商品収容用凹部２ａに商品を陳列することができるので、購入者がこの商品収容用凹部２ａに収容された商品を把持することで、商品を容易かつ確実に取ることができる。
【００４１】
この商品収容用凹部２ａに商品を収容するに際し、開封片２を前方側に倒し、この開封片２の自由端側を後方側に折り返しておくことで、商品収容用凹部２ａの商品を他の商品よりも飛び出したような状態で陳列することができる。この折り返しにあたっては、開封片２を前面板１０の折り曲げ容易線２４によって容易に折り曲げることができる。
【００４２】
また、開封片２は、上記前面板１０の折り曲げ容易線２４、及び糊代板６と天面板７との折り曲げ容易線５ａによって折り曲げられることで、立体的に折り返されることになる。つまり、開封片２は、複数（二つ）の折り曲げ容易線を有するため、折り返された状態が立体的となる。このように立体的に折り返された開封片２の上面の商品収容用凹部２ａに商品が収容されることで、商品の収容状態の安定性に優れる。
【００４３】
さらに、折り返すための二つの折り曲げ容易線のうち一方は、糊代板６と天面板７との折り曲げ容易線５ａを用いるため、新たに別途折り曲げ容易線を形成する必要がない。また、二つの折り曲げ容易線のうち他方の折り曲げ容易線２４は、前面板１０の糊代板６と接合していない部分に設けるので、前面板１０のみの一枚構造であるので、折り曲げを容易且つ確実に行い得る。
【００４４】
さらに、上述の開封片２を前方側に倒す際に、開封用破断誘導線２０の始端及び終端が前面板１０の下端縁に設けられるので、上記開封片２を前面板１０及び底面板９の間の折り曲げ容易線５ａを介して容易かつ確実に前方に倒すことができる。つまり、当該段ボール箱用シート４は、開封用破断誘導線２０の始端及び終端を結ぶ折り曲げ容易線を有するので、上記開封片２を容易かつ確実に前方に倒すことができる。また、このような折り曲げ容易線として、上述のように全般と底面板９との間の折り曲げ容易線５ａを用いるため、新たに別途折り曲げ容易線を形成する必要がない。
【００４５】
また、上記前面板１０の折り曲げ容易線２４は、重ね合される糊代板６の端縁（展開状態の自由端）の位置に設けられているので、上述のように立体的に折り返された開封片２の立ち上がり部分が前面板１０と糊代板６との積層構造となっているため、この立体的な開封片２の強度に優れる。なお、この開封片２の立ち上がり部分は、所望の用紙を貼付する等によって商品広告等を行うことができる。また、この開封片２の立ち上がり部分（糊代板６の外面）に予め商品広告を印刷しておくことも可能である。
【００４６】
さらに、開封用破断誘導線２０の始端及び終端が前面板１０の下端縁に設けられるので、当該段ボール箱１の開封部分が前面側において上下方向広くとることができる。
【００４７】
さらに、開封片２が自由端側に突出した舌片部２ｂに有するため、この舌片部２ｂを構成するに開封用破断誘導線２０の中間部２８に区画される領域（後面板８）から破断を容易かつ確実に開始することができる。また、この中間部２８は後面板８に設けられているので、天面の開封部分は前後方向に広く、このため開封片２以外の四角筒状部５に収容される商品も天面の開放部分から容易に取り出すことができる。
【００４８】
一対の第一破断誘導線２１が、前面板１０の側端縁と間隔をもってそれぞれ形成されているので、開封状態において前面板１０の両側が開封片２以外の四角筒状部５側に残存することになる。このため、開封状態において当該陳列兼用段ボール箱１の上に別の当該陳列兼用段ボール箱１を積載しても、上述のように開封片２以外の四角筒状部５側に残存する前面板１０の両側部分によって十分な強度が得られる。また、第二破断誘導線２５が天面板７の側端縁と間隔をもって形成されているので、開封状態において天面板７の両側が開封片２以外の四角筒状側に残存することになり、このため上方に載置される別の当該陳列兼用段ボール箱１を安定的に載置することができる。
【００４９】
［第二実施形態］
次に、本発明の第二実施形態について図４及び図５を用いて説明する。なお、第二実施形態において、第一実施形態と同一構成又は同一機能を有する部材については同一符号を用い、説明を省略することがある。
【００５０】
第二実施形態においては、糊代板６が前面板１０に連接して設けられている。具体的には、四角筒状部５が、天面板７、後面板８、底面板９、前面板１０及び糊代板６がこの順で直線状に連接されて構成されている。このため、糊代板６を天面板７に接合（接着）させることで、四角筒状部５が筒状に固定される。
【００５１】
また、開封用破断誘導線２０は、第一実施形態と同様に、前面板１０に設けられる一対の第一破断誘導線２１と、天面板７に設けられる一つの第二破断誘導線２５とを備えている。第二実施形態においては、第一破断誘導線２１は、前面板１０の側端縁に沿って形成されている。具体的には、第一破断誘導線２１は、始端が前面板１０の側端縁下端に配設され、終端が前面板１０の側端縁上端縁に配設されている。
【００５２】
第二破断誘導線２５は、始端及び終端が上記第一破断誘導線２１の終端と同一箇所に始点及び終点を有し、この天面板７において始点及び終点から後面壁に向けてそれぞれ延出する始点部２６及び終点部２７は、中間部２８に連続するよう後方につれて左右方向中央に向けて傾斜して設けられている。なお、天面板７に接合される糊代板６にも同一箇所（箱状態における重ね合される箇所）に上記第二破断誘導線２５が形成されている。
【００５３】
また、第二実施形態において、第一実施形態と同様に、開封片２が凹部形成用破断誘導線３０を有し、この凹部形成用破断誘導線３０が開封片２の基部側よりも自由端側に形成されている。第二実施形態においては、上記凹部形成用破断誘導線３０は前面板１０に形成されている。この凹部形成用破断誘導線３０は、前面板１０の上下方向中央よりも上方側に設けられている。そして、この凹部形成用破断誘導線３０よりも前面板１０の下縁側に、この前面板１０の下縁と略平行な折り曲げ容易線２４が設けられている。この折り曲げ容易線２４によって折り曲げることで、開封片２は折り返されることになる。このように折り返された開封片２の立ち上がり部分（前面板１０の上方部分）に上記商品収容用凹部２ａが位置するので、この商品収容用凹部２ａから前方に向けて飛び出すような形態で商品を収容することができる。
【００５４】
また、開封片２は、天面板７において後方側に他の折り曲げ容易線３３が形成されている。この折り曲げ容易線３３は、天面板７の前端縁と略平行に設けられている。この折り曲げ容易線は、折り返された開封片２の自由端付近を折り曲げることで、この開封片２の自由端付近を平坦とすることができ、この平坦となった部分に他の商品を載置することができ、これにより商品収容用凹部２ａに商品を収容した開封片２の状態を安定して維持することができる。
【００５５】
さらに、第二実施形態においては、天面板７及び底面板９の長さ（箱状態における奥行方向の長さ）は、前面板１０及び底面板９の長さ（箱状態における上下方向の長さ）より長く設けられている。また、二対の内フラップ１２は、第一実施形態と同様に同型及び同サイズの矩形形状を有している。一方、二対の外フラップ１１は、天面板７から延設される一対と、底面板９から延設される一対とで形状が異なる。なお、外フラップ１１は、箱状態において端縁同士が略隙間が生じないよう突き合わされ、突き合わされる二つの外フラップ１１の上下方向の長さ（四角筒状部５から延設した幅）の合計が、内フラップ１２の奥行方向の長さ（四角筒状部５の周方向の長さ）と略同一に設けられている。
【００５６】
上記構成からなる第二実施形態の段ボール箱１は、第一実施形態と同様に用いられて同様の利点を有するほか、以下のような利点を有する。
【００５７】
一対の第一破断誘導線２１が、前面板１０の側端縁に沿って形成されているので、前面の開封部分が広く、このため開封片２以外の四角筒状部５に収容される商品も前面の開放部分から容易に取り出すことができる。
【００５８】
また、凹部形成用破断誘導線３０が前面板１０に設けられ、これにより形成される商品収容凹部が立体的に折り返された開封片２の立ち上がり部分に位置し、このため商品収容凹部に商品を前方側に飛び出すような状態で収容でき、購入者の目につきやすく、しかも購入者が手に取りやすい。
【００５９】
［第三実施形態］
次に、本発明の第三実施形態について図６を用いて説明する。なお、第三実施形態において、第一又は第二実施形態と同一構成又は同一機能を有する部材については同一符号を用い、説明を省略することがある。
【００６０】
第三実施形態の段ボール箱１は、底面板９に、第二破断誘導線２５の中間部２８の破断により形成される舌片部２ｂを係合可能な被係合部３を備えている。つまり、当該段ボール箱用シート４は、底面板９に、上記被係合部３を形成するための被係合部形成用破断誘導線３５を備えている。この被係合部３は、開封片２を折り返した際に上記舌片部２ｂが係合できるような位置に設けられた孔から構成される。具体的には、前記被係合部形成用破断誘導線３５は、平面視略Ｕ字状の外縁部３５ａと、この外縁部３５ａの内側に設けられた平面視略Ｕ字状の内縁部３５ｂとを有している。この外縁部３５ａと内縁部３５ｂとは、いずれも後方側（破断前）に開口した略Ｕ字状に形成され、内縁部３５ｂは外縁部３５ａに比べて前後方向に扁平した形状に形成されている。また、底面板９には、外縁部３５ａの端部と内縁部３５ｂの端部とを結ぶように折り曲げ容易線３６が形成されている。このため、外縁部３５ａの内側かつ内縁部３５ｂの外側の部分を立ち上げることで、外縁部３５ａの内側に孔（内縁部の存在した部分）が形成され、この孔が上記被係合部３として機能することができる。
【００６１】
また、上記開封片２は、商品収容用凹部２ａの側方に立ち上げ片２ｃを備えている。つまり、当該段ボール箱用シート４は、天面板７が、凹部形成用破断誘導線３０と開封用破断誘導線２０との間に、上記立ち上げ片２ｃを形成するための立ち上げ片形成用破断誘導線３８を有している。この立ち上げ片形成用破断誘導線３８は、立ち上げ片２ｃの形状に沿った形状に形成され、また天面板７には立ち上げ片２ｃの基部（立ち上げ片形成用破断誘導線３８の端部）に立ち上げを容易にするための立ち上げ片用折り曲げ容易線３９が形成されている。
【００６２】
上記構成からなる第三実施形態の段ボール箱１は、第一又は第二実施形態と同様に用いられて同様の利点を有するほか、以下のような利点を有する。
【００６３】
被係合部形成用破断誘導線３５に沿って破断することで被係合部３を形成しておき、陳列に際して上述のように開封片２の自由端側を後方側に折り返した際に開封片２の舌片部２ｂを被係合部３に係合させることができ、陳列状態における開封片２が的確な位置に的確かつ確実に位置することができる。
【００６４】
また、立ち上げ片形成用破断誘導線３８に沿って破断することで立ち上げ片２ｃを立ち上げることができ、この立ち上げ片２ｃを利用して、視認者の注意を喚起することができ、例えば商品の広告等に用いることができる。また、この立ち上げ片２ｃは、商品収容用凹部２ａの側方に設けられているので、視認者の注意をより喚起しやすい。
【００６５】
［その他の実施形態］
なお、上記各実施形態は上記構成から上述の利点を奏するものであったが、本発明は上記各実施形態の構成に限定されるものではなく、本発明の意図する範囲内において適宜設計変更可能である。
【００６６】
つまり、上記実施形態にあっては、外フラップ１１が天面板７と底面板９とに、内フラップ１２が前面板１０と後面板８とに設けられるものについて説明したが、本発明はこれに限定されるものではなく、例えば内フラップ１２が天面板７と底面板９とに、外フラップ１１が前面板１０と後面板８とに設けられるものも適宜採用可能である。
【００６７】
また、上記実施形態においては特に言及していないが、複数の当該段ボール箱１を積層（段積み）して、この複数の当該段ボール箱１の開封片２の商品収容用凹部２ａにそれぞれ商品を収容した状態で展示することも可能である。
【００６８】
さらに、上記実施形態のように第一破断誘導線２１の始点を前面板１０の下端縁とすることが好ましいが、本発明は必ずしもこれに限定されるものではなく、例えば第一破断誘導線２１の始点を前面板１０の下端縁よりも上方側とすることも可能である。なお、この場合には、一対の第一破断誘導線２１の始点同士を結ぶ折り曲げ容易線を別途設けることも好ましい。
【００６９】
また、開封片２が凹部形成用破断誘導線３０よりも前面板１０の下縁側に折り曲げ容易線を備えていることが好ましいが、本発明は必ずしもこれに限定されるものではない。例えば開封片２を前方側に倒した後に自由端側を後方側に折り返す際に折り曲げ容易線が形成されていない部分を強制的に折り曲げることも可能である。
【００７０】
さらに、開封される部分（天面板７又は前面板１０）に糊代板６が設けられているものに本発明は限定されるものではなく、糊代板６が設けられていない箇所に開封片２が位置するよう構成することも適宜設計変更可能な事項である。
【産業上の利用可能性】
【００７１】
本発明の陳列兼用段ボール箱シート及び陳列兼用段ボール箱は、種々の商品を包装する箱などに好適に用いられる。
【符号の説明】
【００７２】
１  段ボール箱
２  開封片
２ａ  商品収容用凹部
２ｂ  舌片部
２ｃ  立ち上げ片
３  被係合部
４  段ボール箱用シート
５  四角筒状部
５ａ  折り曲げ容易線
６  糊代板
７  天面板
８  後面板
９  底面板
１０  前面板
１１  外フラップ
１２  内フラップ
２０  開封用破断誘導線
２１  第一破断誘導線
２２  傾斜部位
２３  鉛直部位
２４  折り曲げ容易線
２５  第二破断誘導線
２６  始点部
２６ａ  平行部位
２６ｂ  集束部位
２７  終点部
２７ａ  平行部位
２７ｂ  集束部位
２８  中間部
３０  凹部形成用破断誘導線
３１  折り曲げ容易線
３３  折り曲げ容易線
３５  被係合部形成用破断誘導線
３５ａ  外縁部
３５ｂ  内縁部
３６  折り曲げ容易線
３８  立ち上げ片形成用破断誘導線
３９  折り曲げ容易線
【要約】
【課題】本発明は、陳列した際に視認者が商品を視認しやすく、また陳列されている商品を取りやすい陳列兼用段ボール箱シートを提供することを課題とする。
【解決手段】本発明は、１枚の段ボール紙からなり、対向する天面板及び底面板並びに対向する一対の前面板及び後面板を有する四角筒状部を備え、この四角筒状部が、梱包状態から陳列状態に開封可能な開封用破断誘導線を有する陳列兼用段ボール箱シートであって、上記開封用破断誘導線が、前面板に設けられ、底側に始点を有するとともに天面板との連設部位に終点を有する一対の第一破断誘導線と、天面板に設けられ、上記一対の第一破断誘導線の終点と同一箇所に始点及び終点を有する第二破断誘導線とを備え、上記破断誘導線によって区画される開封片が、商品収容用凹部を形成するための凹部形成用破断誘導線を有することを特徴とする陳列兼用段ボール箱シートである。
【選択図】図３【図１】
0005451866.tif 000002
【図２】
0005451866.tif 000003
【図３】
0005451866.tif 000004
【図４】
0005451866.tif 000005
【図５】
0005451866.tif 000006
【図６】
0005451866.tif 000007